(57)【要約】【課題】外側エスカチオンの薄厚化が可能となるエスカチオン構造を提供する。【解決手段】扉１１に内設される錠箱１５と、扉１１の表裏１１ａに取り付けられる外側エスカチオン２３及び内側エスカチオン２５と、を具備するエスカチオン構造であって、外側エスカチオン２３を貫通する外側把手２７のハンドル軸２９を、錠箱１５に係合して貫通するとともに、このハンドル軸２９の貫通先端２９ａを、内側エスカチオン２５に固定した軸支部４５にて回動自在に支持する。外側エスカチオン２３を板状に形成し、内側エスカチオン２５を扉１１の裏面１１ｂから突出する箱状に形成し、軸支部４５を、内側エスカチオン２５の箱内空間６３に配置する。【選択図】  図２
2011080208.tif 000002
【特許請求の範囲】
【請求項１】
扉に内設される錠箱と、前記扉の表裏に取り付けられる外側エスカチオン及び内側エスカチオンと、
を具備するエスカチオン構造であって、
前記外側エスカチオンを貫通する外側把手のハンドル軸を、前記錠箱に係合して貫通するとともに、該ハンドル軸の貫通先端を、前記内側エスカチオンに固定した軸支部にて回動自在に支持することを特徴とするエスカチオン構造。
【請求項２】
請求項１記載のエスカチオン構造であって、
前記軸支部は、
前記内側エスカチオンの背面に浮上して固定され軸受け穴を有する軸支ブラケットと、
前記軸支ブラケットの浮上間隙にフランジ部が配置されて抜け止めされ、筒部が前記軸受け穴に回動自在に挿入されて、筒部先端開口には前記ハンドル軸が相対回転不能に挿入されるプーリと、
前記筒部の外周に形成した雄ねじに螺合するナットと、
前記軸支ブラケットと前記ナットの間の前記筒部に外挿され前記プーリと前記ナットを係合して一体回転させる菊座状のストッパーと、
を有することを特徴とするエスカチオン構造。
【請求項３】
請求項１又は２記載のエスカチオン構造であって、
前記外側エスカチオンが板状に形成され、
前記内側エスカチオンが前記扉の裏面から突出する箱状に形成され、
前記軸支部が、前記内側エスカチオンの箱内空間に配置されることを特徴とするエスカチオン構造。
【請求項４】
請求項３記載のエスカチオン構造であって、
前記扉の表面に前記外側エスカチオンの厚みと同一深さの凹部を形成し、
前記外側エスカチオンを前記凹部に落とし込んで前記扉の表面と面一とすることを特徴とするエスカチオン構造。
【請求項５】
請求項１，２，３，４のいずれか１つに記載のエスカチオン構造であって、
前記外側把手のハンドル軸と平行な別体の内側把手のハンドル軸を、前記内側エスカチオンに固定する軸受部を介して回動自在に支持し、該ハンドル軸の先端を前記錠箱に連結することを特徴とするエスカチオン構造。
【発明の詳細な説明】
【技術分野】
【０００１】
本発明は、扉の表裏に外側エスカチオンと内側エスカチオンを取り付けてなるエスカチオン構造に関する。
【背景技術】
【０００２】
扉の鍵穴、把手、サムターンなどのまわりには、盾形の縁飾り板、所謂エスカチオンが取り付けられることがある（例えば特許文献１，２参照）。エスカチオンは、扉の外側に外側エスカチオン、扉の内側に内側エスカチオンがそれぞれ取り付けられる。外側エスカチオンには外側把手のハンドル軸が貫通し、シリンダー錠の鍵穴などが表出する。内側エスカチオンには内側把手のハンドル軸が貫通し、サムターンの軸が貫通する。エスカチオンは、一般的に鋳造品等の金属からなり、箱状となって扉の表裏から突出するため、装飾部材としてだけでなく、上記部材や錠箱などの支持体、機構部品を隠すカバーとして利用されることがある。
【先行技術文献】
【特許文献】
【０００３】
【特許文献１】特開平７−２８６４６０号公報
【特許文献２】特開２００３−２５３９２４号公報
【発明の概要】
【発明が解決しようとする課題】
【０００４】
ところで、ホテルの客室扉などでは、内装デザイン等との統一化により特に室外側となる廊下側に面して外側エスカチオンの形状や意匠性の自由度を得て、例えば扉面に任意のクロス（壁紙）等を張り替えたい等の要望がある。
しかしながら、従来のエスカチオン構造は、扉の表裏から突出する箱状のものが多く、上記要求を満足しない。エスカチオンを薄板としたいが、例えば外側エスカチオンには外側把手のハンドル軸が貫通支持されるため、軸支部を設けるスペースを確保しなければならない。このため、外側エスカチオンは扉面から突出する箱状である必要があった。
【０００５】
本発明は上記状況に鑑みてなされたもので、その目的は、外側エスカチオンの厚みを薄型化とし、デザイン性を向上可能とするエスカチオン構造を提供することにある。
【課題を解決するための手段】
【０００６】
次に、上記の課題を解決するための手段を、実施の形態に対応する図面を参照して説明する。
本発明の請求項１記載のエスカチオン構造は、扉１１に内設される錠箱１５と、前記扉１１の表裏１１ａに取り付けられる外側エスカチオン２３及び内側エスカチオン２５と、
を具備するエスカチオン構造であって、
前記外側エスカチオン２３を貫通する外側把手２７のハンドル軸２９を、前記錠箱１５に係合して貫通するとともに、該ハンドル軸２９の貫通先端２９ａを、前記内側エスカチオン２５に固定した軸支部４５にて回動自在に支持することを特徴とする。
【０００７】
このエスカチオン構造では、外側把手２７のハンドル軸２９の軸受け荷重を内側エスカチオン２５で受けることができ、外側エスカチオン２３の強度を大きくする必要がなくなる。
【０００８】
請求項２記載のエスカチオン構造は、請求項１記載のエスカチオン構造であって、
前記軸支部４５は、
前記内側エスカチオン２５の背面に浮上して固定され軸受け穴１２３を有する軸支ブラケット１１１と、
前記軸支ブラケット１１１の浮上間隙１２１にフランジ部１１３ｂが配置されて抜け止めされ、筒部１１３ａが前記軸受け穴１２３に回動自在に挿入されて、筒部先端開口１１３ｃには前記ハンドル軸２９が相対回転不能に挿入されるプーリ１１３と、
前記筒部１１３ａの外周に形成した雄ねじ１２７に螺合するナット１１５と、
前記軸支ブラケット１１１と前記ナット１１５の間の前記筒部１１３ａに外挿され前記プーリ１１３と前記ナット１１５を係合して一体回転させる菊座状のストッパー１１７と、
を有することを特徴とする。
【０００９】
このエスカチオン構造では、プーリ１１３の筒部１１３ａが軸支ブラケット１１１の軸受け穴１２３に回動自在に挿入される。プーリ１１３は、フランジ部１１３ｂとナット１１５により軸受け穴１２３に対する軸線方向の移動が規制される。外側把手２７のハンドル軸２９の貫通先端２９ａは筒部１１３ａに相対回転不能に挿入される。貫通先端２９ａは、プーリ１１３を介して軸支ブラケット１１１に回動自在に固定される。
【００１０】
請求項３記載のエスカチオン構造は、請求項１又は２記載のエスカチオン構造であって、
前記外側エスカチオン２３が板状に形成され、
前記内側エスカチオン２５が前記扉１１の裏面１１ｂから突出する箱状に形成され、
前記軸支部４５が、前記内側エスカチオン２５の箱内空間６３に配置されることを特徴とする。
【００１１】
このエスカチオン構造では、軸支部４５が内側エスカチオン２５の箱内空間６３に配置されることで、軸支部４５の収容スペースを、扉１１の厚み内に確保する必要がなくなる。また、軸支部４５が内側エスカチオン２５に容易に支持可能となる。
【００１２】
請求項４記載のエスカチオン構造は、請求項３記載のエスカチオン構造であって、
前記扉１１の表面１１ａに前記外側エスカチオン２３の厚みと同一深さの凹部１０５を形成し、
前記外側エスカチオン２３を前記凹部１０５に落とし込んで前記扉１１の表面１１ａと面一とすることを特徴とする。
【００１３】
このエスカチオン構造では、外側エスカチオン２３の表面と扉１１の表面１１ａとに段差がなくなり、同一面とした扉表面１１ａと外側エスカチオン２３に連続した壁紙の貼着等が可能となる。
【００１４】
請求項５記載のエスカチオン構造は、請求項１，２，３，４のいずれか１つに記載のエスカチオン構造であって、
前記外側把手２７のハンドル軸２９と平行な別体の内側把手３５のハンドル軸３７を、前記内側エスカチオン２５に固定する軸受部４７を介して回動自在に支持し、該ハンドル軸３７の先端３７ａを前記錠箱１５に連結することを特徴とする。
【００１５】
このエスカチオン構造では、外側把手２７のハンドル軸２９と係合する外側ハンドル回動入力部材４３と、内側把手３５のハンドル軸３７と係合する内側ハンドル回動入力部材４９が、錠箱１５の別位置に設けられるようになる。これにより、それぞれのハンドル回動入力部材４３，４９に接続される従動機構が、錠箱１５内の上下に分散配置可能となる。
【発明の効果】
【００１６】
本発明に係る請求項１記載のエスカチオン構造によれば、外側エスカチオンを貫通する外側把手のハンドル軸を、錠箱に係合して貫通するとともに、貫通先端を、内側エスカチオンに固定した軸支部にて回動自在に支持するので、ハンドル軸の軸受け荷重を内側エスカチオンで受けることができ、外側エスカチオンの強度を大きくする必要がなくなる。この結果、外側エスカチオンの厚さを薄型化できる。
【００１７】
請求項２記載のエスカチオン構造によれば、軸支部は、軸支ブラケットと、軸支ブラケットに回動自在に挿入されハンドル軸が挿入されるプーリと、筒部外周に螺合するナットと、プーリとナットを係合して一体回転させるストッパーと、を有するので、ハンドル軸の貫通先端を、プーリとナットにより抜け止めしながら、軸支ブラケットに回動自在に固定できる。
【００１８】
請求項３記載のエスカチオン構造によれば、軸支部を、内側エスカチオンの箱内空間に配置するので、軸支部の収容スペースを、扉の厚み内に確保する必要がなく、より薄厚の扉への対応が可能となる。
【００１９】
請求項４記載のエスカチオン構造によれば、扉の表面に外側エスカチオンの厚みと同一深さの凹部を形成し、外側エスカチオンをこの凹部に落とし込んで扉表面と面一とするので、扉表面の意匠性とともに統一感のある意匠を施すことができ、例えばホテルの客室扉等の場合、外側エスカチオンの表面に、扉表面と同じ任意のクロス（壁紙）等を扉と一体に貼ることができ、また、扉周囲の壁面との意匠性を含めてデザインが可能となる。そして、扉表面には把手のハンドル軸のみが突出するような構成とすることが可能となる。
【００２０】
請求項５記載のエスカチオン構造によれば、外側把手のハンドル軸と平行な別体の内側把手のハンドル軸を、内側エスカチオンに軸受部を介して回動自在に支持し、このハンドル軸の先端を錠箱に連結するので、外側ハンドル回動入力部材と内側ハンドル回動入力部材を、錠箱の別位置に設けることができる。これにより、それぞれのハンドル回動入力部材に接続される従動機構を錠箱内の上下に分散配置でき、錠箱の薄厚化が可能となる。
【図面の簡単な説明】
【００２１】
【図１】本発明に係るエスカチオン構造を備えた扉を木口側から見た側面図である。
【図２】図１の外側エスカチオンを凹設した場合の扉内部の側面図である。
【図３】（ａ）は扉外側の斜視図、（ｂ）は扉内側の斜視図である。
【図４】（ａ）は外側エスカチオンの正面図、（ｂ）は錠箱を省略した扉内部の側面図、（ｃ）は内側エスカチオンの正面図である。
【図５】内側エスカチオンの斜視図である。
【図６】内側エスカチオンを取付面側から見た斜視図である。
【図７】（ａ）は軸支部近傍の斜視図、（ｂ）は軸支部の断面図である。
【図８】軸支部の分解斜視図である。
【発明を実施するための形態】
【００２２】
以下、本発明の実施の形態を図面を参照して説明する。
図１は本発明に係るエスカチオン構造を備えた扉を木口側から見た側面図である。
扉１１の木口１３には錠箱１５のフロントパネル１７が化粧ビス１９により取り付けられる。フロントパネル１７からはラッチ兼デッドボルト２１が、錠箱１５内の錠機構により進退自在に設けられる。扉１１の表裏には外側エスカチオン２３、内側エスカチオン２５が取り付けられる。外側エスカチオン２３には外側把手２７のハンドル軸２９が貫通し、シリンダー錠３１の鍵穴３３（図３参照）が表出する。内側エスカチオン２５には内側把手３５のハンドル軸３７が貫通し、サムターン３９の軸４１が貫通する。
【００２３】
図２は図１の外側エスカチオンを凹設した場合の扉内部の側面図である。
外側把手２７のハンドル軸２９は、錠箱１５の外側ハンドル入力部材４３に係合し、錠箱１５を貫通する。錠箱１５を貫通したハンドル軸２９の先端２９ａは、後述する軸支部４５によって内側エスカチオン２５に回動自在に支持される。内側把手３５のハンドル軸３７は、内側エスカチオン２５に設けられる軸受部４７に回動自在に支持され、先端３７ａが錠箱１５の内側ハンドル入力部材４９に係合する。サムターン３９の軸４１は、先端４１ａが錠箱１５のサムターン入力部材５１に係合する。外側ハンドル入力部材４３、内側ハンドル入力部材４９、サムターン入力部材５１からの操作回動は不図示の錠機構に伝達され、ラッチ兼デッドボルト２１を進退動作させるなどする。
【００２４】
また、外側エスカチオン２３には先端にネジ穴５３を有した複数（図例では２つ）の固定軸５５の基端が加締め固定される。ネジ穴５３には内側エスカチオン２５を貫通した固定ネジ５７が螺合される。つまり、外側エスカチオン２３と内側エスカチオン２５は、固定ネジ５７によって扉１１を表裏から挟んで固定される。
【００２５】
シリンダー錠３１は、錠箱１５の外部の扉１１内に設けられている。本実施の形態では、錠箱１５の下方における外側エスカチオン２３の背部に配置される。シリンダー錠３１の後部にはシリンダー操作回転を出力するテールピース５９が突出する。このテールピース５９からの操作回転は、回動伝達機構６１によって錠箱１５に伝達される。
【００２６】
図３（ａ）は扉外側の斜視図、（ｂ）は扉内側の斜視図である。
外側エスカチオン２３は、板状に形成される。外側エスカチオン２３の板厚は、例えば２．５ｍｍ程度に設定される。扉１１の表面１１ａからは板厚分のみが突出する。したがって、外側エスカチオン２３は、表面１１ａと略面一となる。一方、内側エスカチオン２５は、扉１１の裏面１１ｂから突出する箱状に形成される。これにより、裏面１１ｂの外方に箱内空間６３（図２参照）が形成されるようになされている。
【００２７】
図４（ａ）外側エスカチオンの正面図、（ｂ）は錠箱を省略した扉内部の側面図、（ｃ）は内側エスカチオンの正面図である。
本エスカチオン構造において各操作部材の位置関係は図４に示す通りとなる。すなわち、外側エスカチオン２３と内側エスカチオン２５とは扉１１の内外で同一高さで取り付けられる。外側把手２７は、内側把手３５よりも低く配置される。シリンダー錠３１は、最下部に配置されて鍵穴３３を外側エスカチオン２３に表出させる。サムターン３９は、外側把手２７とシリンダー錠３１の間に配置される。
【００２８】
エスカチオン構造では、外側把手２７のハンドル軸２９と平行な別体の内側把手３５のハンドル軸３７を、軸受部４７を介して回動自在に支持する。ハンドル軸３７の先端３７ａは、錠箱１５の内側ハンドル入力部材４９に係合し連結とされる。すなわち、外側ハンドル入力部材４３と、内側ハンドル入力部材４９が、錠箱１５の別位置に設けられるようになる。これにより、それぞれのハンドル回動入力部材４３，４９に接続される従動機構が、錠箱１５内の上下に分散配置可能となる。その結果、錠箱１５の薄型化が可能となっている。
【００２９】
図５は内側エスカチオンの斜視図である。
箱状に形成される内側エスカチオン２５は、内側把手３５、サムターン３９を回動自在に支持する。上下部には固定ネジ５７を挿通するための固定穴８１，８１が設けられている。
【００３０】
図６は内側エスカチオンを取付面側から見た斜視図である。
内側エスカチオン２５の箱内空間６３には、サムターン３９の軸４１の下方に回動伝達機構６１のブラケット８３が固定される。ブラケット８３には、シリンダー錠３１に対向して第１リンクアーム８７が回動自在に支持される。第１リンクアーム８７より上方には第２リンクアーム８９が回動自在に支持される。第２リンクアーム８９は、錠箱１５に設けられたシリンダー回動入力部材９１に対向する。第１リンクアーム８７にはテールピース５９（図２参照）の先端が相対回転不能に挿入される。第２リンクアーム８９にはジョイントピース１０３の基端が相対回転不能に挿入される。ジョイントピース１０３は、先端がシリンダー回動入力部材９１に相対回転不能に挿入される。第１リンクアーム８７と第２リンクアーム８９は、不図示のリンクによって連結される。第１リンクアーム８７の回動はリンクを介して第２リンクアーム８９に伝わる。
【００３１】
図２に示すように、外側エスカチオン２３は、表面化粧板６９と、裏板７１を重ねてなる。外側エスカチオン２３の裏面（すなわち、裏板７１）には固定軸５５などが加締め固定される。表面化粧板６９としては例えば１．０ｍｍ程度のＳＵＳ材が使用される。裏板７１としては例えば１．６ｍｍ程度のＳＰＣＣ材が使用される。
【００３２】
外側エスカチオン２３は、中央部に外側把手２７のハンドル軸２９を挿通する外ハンドル軸貫通穴６５を有する。下部にはシリンダー錠３１の鍵穴３３を表出させるための鍵穴表出窓６７が開口される。ハンドル貫通穴６５と鍵穴表出窓６７とは、表面化粧板６９を裏板７１側に鍔だし加工して形成される。表面化粧板６９と裏板７１とは、これら鍔部７９を裏板７１と共加締めすることにより表裏一体に固定される。なお、表面化粧板６９と裏板７１は、その間に薄型両面接着テープや接着剤を併用することで固定強度をより高めることができる。
【００３３】
内側エスカチオン２５は、箱状の裏板９３の表面が表面化粧板９５に覆われる。裏板９３としては例えば１．６ｍｍ程度のＳＰＣＣ材が使用される。表面化粧板９５としては例えば１．０ｍｍ程度のＳＵＳ材が使用される。
【００３４】
図７（ａ）は軸支部近傍の斜視図、（ｂ）は軸支部の断面図、図８は軸支部の分解斜視図である。
図７（ａ）に示すように、外側エスカチオン２３を貫通する外側把手２７のハンドル軸２９は、錠箱１５の外側ハンドル入力部材４３に係合して貫通する。ハンドル軸２９の貫通先端２９ａは、内側エスカチオン２５に固定した軸支部４５にて回動自在に支持される。
【００３５】
軸支部４５は、軸支ブラケット１１１と、プーリ１１３と、ナット１１５と、ストッパー１１７と、によって構成される。軸支ブラケット１１１は、裏板９３から浮上し、固定ネジ１１９によって裏板９３に固定される。裏板９３と軸支ブラケット１１１の間には浮上間隙１２１が形成される。軸支ブラケット１１１の中央部には、図８に示す鍔部１２３ａとなって絞り加工或いは鍔出し加工されて短尺な筒状開口形状の軸受け穴１２３が形成される。
【００３６】
プーリ１１３は、筒部１１３ａの一端にフランジ部１１３ｂが形成され、筒部１１３ａの他端は筒部先端開口１１３ｃとなって開口される。プーリ１１３は、フランジ部１１３ｂが浮上間隙１２１に配置され、筒部１１３ａが軸受け穴１２３に回動自在に挿入される。これにより、錠箱１５側への抜けが規制される。筒部先端開口１１３ｃにはハンドル軸２９の先端２９ａが相対回転不能に挿入される。筒部１１３ａと先端２９ａは、半径方向に貫通する固定ピン１２５がピン穴１１３ｄ，２９ｂに挿入されることで抜けが規制される。筒部１１３ａの外周には雄ねじ１２７が形成される。また、筒部１１３ａの外周には軸線１２９に沿う方向の係合溝１３１が形成されている。
【００３７】
ナット１１５は、プーリ１１３の筒部１１３ａに形成される雄ねじ１２７に螺合する。ナット１１５の外周には、軸線１２９に沿う方向の切欠１３３が複数形成されている。
【００３８】
ストッパー１１７は、菊座状に形成され、軸支ブラケット１１１とナット１１５の間の筒部１１３ａに外挿される。ストッパー１１７の外周には複数の係止片１１７ａが放射状に形成され、係止片１１７ａはナット１１５に向かって傾斜する。係止片１１７ａは、切欠１３３に係合する。ストッパー１１７の内周には突起１１７ｂが突設され、突起１１７ｂは筒部１１３ａの係合溝１３１に係合する。ストッパー１１７は、突起１１７ｂを係合溝１３１に係合するとともに、係止片１１７ａを切欠１３３に係合して、プーリ１１３とナット１１５とを一体回転させる。
【００３９】
鍔部１２３ａの外周には、鍔部１２３ａの突出高さと略同一となる厚さのリング状のスペーサー１３７が外挿される。スペーサー１３７は、ストッパー１１７を円滑に回転させる座面となる。
【００４０】
次に、上記構成を有するエスカチオン構造の作用を説明する。
エスカチオン構造では、外側把手２７のハンドル軸２９が回動されると、回動が外側ハンドル入力部材４３を介して錠箱１５内の施解錠機構に入力される。ハンドル軸２９の先端２９ａは、一体に回転するプーリ１１３によって軸受け穴１２３に支持される。プーリ１１３は、フランジ部１１３ｂとナット１１５により軸受け穴１２３に対する軸線方向の移動が規制される。
【００４１】
外側把手２７の操作時に、ハンドル軸２９に加わる軸受け荷重の殆どは、軸支部４５を介して内側エスカチオン２５で受けられることになる。軸支部４５を内側エスカチオン２５に固定できるので、外側エスカチオン２３を低強度に形成できる。
【００４２】
また、外側エスカチオン２３を板状に形成し、内側エスカチオン２５を箱状に形成することで、軸支部４５を内側エスカチオン２５の箱内空間６３に配置できる。これにより、軸支部４５の収容スペースを、扉１１の厚み内に確保する必要がなく、より厚みの薄い扉１１への対応が可能となる。
【００４３】
なお、鍵穴３３に挿入される不図示の合鍵によってシリンダー錠３１が回動されると、回動がテールピース５９を伝って第１リンクアーム８７を回動させる。第１リンクアーム８７の回動は第２リンクアーム８９に同一回転角度且つ同方向で伝わる。第２リンクアーム８９の回動はジョイントピース１０３にて錠箱１５のシリンダー回動入力部材９１に伝わる。これにより、シリンダー錠３１の回動出力は、並設した錠箱１５のシリンダー回動入力部材９１に、同一回転角度且つ同方向で伝わるようになされている。
【００４４】
したがって、本実施の形態によるエスカチオン構造によれば、外側エスカチオン２３を貫通する外側把手２７のハンドル軸２９を、錠箱１５に係合して貫通するとともに、貫通先端２９ａを、内側エスカチオン２５に固定した軸支部４５にて回動自在に支持するので、ハンドル軸２９の軸受け荷重を内側エスカチオン２５で受けることができ、外側エスカチオン２３の強度を大きくする必要がなくなる。この結果、外側エスカチオン２３を薄型化できる。
【００４５】
上記エスカチオン構造では、図１に示すように、外側エスカチオン２３を扉１１の表面１１ａに固定した。したがって、表面１１ａからは外側エスカチオン２３が厚み分突出する。エスカチオン構造は、この他、図２に示すように、扉１１の表面１１ａに、外側エスカチオン２３の厚みと同一深さの凹部１０５を形成し、外側エスカチオン２３をこの凹部１０５に落とし込み、表面１１ａと面一にしてもよい。
これにより、外側エスカチオン２３の表面と扉１１の表面１１ａとに段差がなくなり、同一面とした扉表面１１ａと外側エスカチオン２３に連続した壁紙（図示せず）等の貼着が可能となって、例えば、ホテルの客室扉等の場合には、薄い外側エスカチオン２３の表面に任意のクロス（壁紙）等を張り替えることや塗装等が可能となり、扉表面から外側把手２７のみが突出した状態となり、扉の意匠性としてその表面の全体をデザイン可能となり、またこの扉の周囲の壁面との意匠性などともマッチするものが構成可能となる。
【００４６】
また、上記エスカチオン構造では、外側把手２７及び内側把手３５をレバーハンドルとしたが、この他、外側把手及び内側把手はノブなどであってもよい。
【符号の説明】
【００４７】
１１…扉
１１ａ…扉の表面
１１ｂ…扉の裏面
１５…錠箱
２３…外側エスカチオン
２５…内側エスカチオン
２７…外側把手
２９…ハンドル軸
２９ａ…貫通先端
３５…内側把手
３７…ハンドル軸
４５…軸支部
４７…軸受部
６３…箱内空間
１０５…凹部
１１１…軸支ブラケット
１１３…プーリ
１１３ａ…筒部
１１３ｂ…フランジ部
１１３ｃ…筒部先端開口
１１５…ナット
１１７…ストッパー
１２１…浮上間隙
１２３…軸受け穴
１２７…雄ねじ
【図１】
2011080208.tif 000003
【図２】
2011080208.tif 000004
【図３】
2011080208.tif 000005
【図４】
2011080208.tif 000006
【図５】
2011080208.tif 000007
【図６】
2011080208.tif 000008
【図７】
2011080208.tif 000009
【図８】
2011080208.tif 000010